(57)【要約】  眼鏡型映像表示装置１は、映像を表示する表示ユニット２９と、メガネレンズ２３ｂの前方の空間と表示ユニット２９との間に設けられ、前方の空間から表示ユニット２９への視界を遮る遮蔽部材とを備える。
2017170864.tif 000002
【特許請求の範囲】
【請求項１】
映像を表示する表示ユニットと、
レンズの前方の空間と前記表示ユニットとの間に設けられ、前記前方の空間から前記表示ユニットへの視界を遮る遮蔽部材と、
を有することを特徴とする眼鏡型映像表示装置。
【請求項２】
前記表示ユニットは、前記レンズを固定するための第１固定部材、又は、前記レンズの周囲に設けられた第２固定部材に配置され、
前記遮蔽部材は、前記第１固定部材又は前記第２固定部材であることを特徴とする請求項１に記載の眼鏡型映像表示装置。
【請求項３】
前記第１固定部材又は前記第２固定部材は、嵌合穴を有し、
前記表示ユニットは、前記嵌合穴に配置されていることを特徴とする請求項２に記載の眼鏡型映像表示装置。
【請求項４】
前記第１固定部材又は前記第２固定部材に前記表示ユニットの周囲を囲うフード部材が設けられていることを特徴とする請求項２に記載の眼鏡型映像表示装置
【請求項５】
前記表示ユニットは、前記レンズに設けられ、
前記遮蔽部材は、前記レンズの表面に設けられた色を付した膜であることを特徴とする請求項１に記載の眼鏡型映像表示装置。
【請求項６】
前記表示ユニットは、
前記映像を表示する表示デバイスと、
前記表示デバイスで表示した映像光を導光する導光部と、
前記導光部で導光された映像光を射出部に向けて鏡面反射させるミラーと、を有して構成されていることを特徴とする請求項１に記載の眼鏡型映像表示装置。
【請求項７】
前記表示ユニットは、左右のレンズに設けられた前記第１固定部材又は前記第２固定部材のうち何れか一方の第１固定部材又は第２固定部材に配置され、
前記表示ユニットが配置されていない第１固定部材又は第２固定部材は、前記表示ユニットが配置されている第１固定部材又は第２固定部材と同様の形状が形成されていることを特徴とする請求項２に記載の眼鏡型映像表示装置。
【請求項８】
前記表示ユニットは、左右のレンズに設けられた前記第１固定部材又は前記第２固定部材のうち何れか一方の第１固定部材又は第２固定部材に配置され、
前記表示ユニットが配置されていない第１固定部材又は第２固定部材は、前記表示ユニットが配置されている第１固定部材又は第２固定部材に形成された嵌合穴と同様の形状をした第２の嵌合穴を有し、
前記第２の嵌合穴には前記表示ユニットと同様の形状をしたダミー部材が配置されていることを特徴とする請求項３に記載の眼鏡型映像表示装置。
【請求項９】
前記表示ユニットにケーブルを介して映像信号を送信する制御部を更に有し、
前記ケーブルは、固定部及び当接部に設けられ、
前記当接部と前記固定部の間に設けられた連結部の周囲に前記ケーブルをカバーするカバー部材が設けられていることを特徴とする請求項１に記載の眼鏡型映像表示装置。
【請求項１０】
前記カバー部材は、前記連結部の下側及び外側に設けられていることを特徴とする請求項９に記載の眼鏡型映像表示装置。
【請求項１１】
映像を表示する表示ユニットと、
前記表示ユニットにケーブルを介して映像信号を送信する制御部と、を有し、
前記ケーブルは、固定部及び当接部に設けられ、
前記当接部と前記固定部の間に設けられた連結部の周囲に前記ケーブルをカバーするカバー部材が設けられていることを特徴とする眼鏡型映像表示装置。
【請求項１２】
前記カバー部材は、前記連結部の下側及び外側に設けられていることを特徴とする請求項１１に記載の眼鏡型映像表示装置。
【発明の詳細な説明】
【技術分野】
【０００１】
本発明は、眼鏡型映像表示装置に関する。
【背景技術】
【０００２】
近年、頭部に装着してユーザの視界内に配置した表示ユニットに映像を表示するヘッドマウントディスプレイが知られている。このようなヘッドマウントディスプレイとして、眼鏡型あるいは帽子型のヘッドマウントディスプレイが存在する。【０００３】
例えば、日本国特開２０１２−１８２６００号公報には、画像情報に応じた画像をユーザの目の網膜に表示する表示ユニットと、表示ユニットを制御する制御部とが眼鏡型フレームに配設されたヘッドマウントディスプレイが開示されている。【０００４】
しかしながら、従来のヘッドマウントディスプレイは、映像を表示する表示ユニットがメガネレンズの前面に配置されていたり、表示ユニットを制御する制御部がメガネフレームのテンプルに装着されていたりして、一般的なメガネと比較して、見た目が不自然であるという問題があった。例えば、接客業等では、従業員がヘッドマウントディスプレイを装着していると見た目で分かると、お客様は自分が撮影されているのではないかと不安になってしまう。【０００５】
そこで、本発明は、外観を一般的なメガネに見せることができる眼鏡型映像表示装置を提供することを目的とする。
【発明の開示】
【課題を解決するための手段】
【０００６】
本発明の一態様の眼鏡型映像表示装置は、映像を表示する表示ユニットと、レンズの前方の空間と前記表示ユニットとの間に設けられ、前記前方の空間から前記表示ユニットへの視界を遮る遮蔽部材と、を有する。【０００７】
また、本発明の他の態様の眼鏡型映像表示装置は、像を表示する表示ユニットと、前記表示ユニットにケーブルを介して映像信号を送信する制御部と、を有し、前記ケーブルは、固定部及び当接部に設けられ、前記当接部と前記固定部の間に設けられた連結部の周囲に前記ケーブルをカバーするカバー部材が設けられている。
【図面の簡単な説明】
【０００８】
【図１】本実施形態に係わる眼鏡型映像表示装置をユーザが装着した状態を説明するための模式的な図である。
【図２】制御ユニットの詳細な構成を示すブロック図である。
【図３】眼鏡型映像表示装置１を左斜め前方から見た際の構成を示す斜視図である。
【図４】眼鏡型映像表示装置１を右斜め前方から見た際の構成を示す斜視図である。
【図５】眼鏡型映像表示装置１を後方から見た際の構成を示す斜視図である。
【図６】表示ユニット２９の詳細な構成について説明するための図である。
【図７】変形例１に係る眼鏡型映像表示装置を後方から見た際の構成を示す斜視図である。
【図８】変形例１に係る眼鏡型映像表示装置を右側から見た際の構成を示す右側面図である。
【図９】変形例に係る眼鏡型映像表示装置の一例の構成を示す斜視図である。
【図１０】変形例に係る眼鏡型映像表示装置の他の例の構成を示す斜視図である。
【図１１】変形例に係る眼鏡型映像表示装置と制御ユニットとの接続関係を説明するための図である。
【図１２】変形例３に係る眼鏡型映像表示装置のフロントを後方から見た図である。
【発明を実施するための最良の形態】
【０００９】
以下、図面を参照して本発明の実施形態を説明する。  
図１は、本実施形態に係わる眼鏡型映像表示装置をユーザが装着した状態を説明するための模式的な図であり、図２は、制御ユニットの詳細な構成を示すブロック図である。【００１０】
図１に示すように、本実施形態の眼鏡型映像表示装置１は、ユーザ１０が頭部に装着する眼鏡型映像表示装置である。眼鏡型映像表示装置１は、ケーブル２を介して制御ユニット３に接続されている。制御ユニット３は、後述する表示デバイスに映像を表示させる制御を行う。【００１１】
ユーザ１０は、制御ユニット３を腰等に装着することができる。なお、制御ユニット３を装着する位置は、特に限定されるものではなく、ユーザ１０の前方の位置から見えないように、ユーザ１０は例えば背中側に制御ユニット３を装着してもよい。また、本実施形態では、眼鏡型映像表示装置１と制御ユニット３とがケーブル２により有線接続されているが、例えば、眼鏡型映像表示装置１と制御ユニット３とが無線接続されていてもよい。以下、ユーザ１０が眼鏡型映像表示装置１を装着している状態のときに、ユーザ１０に対して眼鏡型映像表示１がある方向を前方とし、反対側を後方とする。【００１２】
図２に示すように、制御ユニット３は、制御部１１と、無線通信部１２と、バッテリ１３とを備えて構成されている。無線通信部１２は、眼鏡型映像表示装置１を装着したユーザ１０から離れた遠隔地のセンター４に配置されているパーソナルコンピュータ等の情報処理端末５と無線通信することができる。【００１３】
センター４の操作者は、情報処理端末５を用いて所定の映像信号を制御ユニット３の無線通信部１２に無線により送信する。無線通信部１２は、情報処理端末５から無線で送信された所定の映像信号を受信し、制御部１１に出力する。制御部１１は、無線通信部１２から入力された所定の映像信号を後述するＬＣＤ等の表示デバイスに出力することで、ユーザ１０に所定の映像を表示する。【００１４】
バッテリ１３は、制御ユニット３の各部に電力を供給するとともに、図示しない電力供給線を介して、眼鏡型映像表示装置１に電力を供給する。【００１５】
次に、眼鏡型映像表示装置１の詳細な構成について説明する。図３は、眼鏡型映像表示装置１を左斜め前方から見た際の構成を示す斜視図であり、図４は、眼鏡型映像表示装置１を右斜め前方から見た際の構成を示す斜視図であり、図５は、眼鏡型映像表示装置１を後方から見た際の構成を示す斜視図である。なお、図３及び図４の眼鏡型映像表示装置１において、ケーブル２の記載は省略しているが、図１及び図５と同様に、図３及び図４の眼鏡型映像表示装置１もケーブル２を備えているものとする。【００１６】
図３に示すように、眼鏡型映像表示装置１は、フロント２０と、左右のテンプル２１ａ及び２１ｂと、ユーザ１０の耳かけの部分に設けられたカバーであるモダン２２ａ及び２２ｂと、フロント２０の左右に設けられたヨロイ２６ａ及び２６ｂと、ヨロイ２６ａ及び２６ｂとテンプル２１ａ及び２１ｂを連結し、テンプル２１ａ及び２１ｂを開閉する丁番２７ａ及び２７ｂとにより構成されている。【００１７】
ヨロイ２６ａ及び２６ｂは、フロント２０の後述するフレーム２４ａ及び２４ｂに固定される固定部を構成する。なお、ヨロイ２６ａ及び２６ｂは、フロント２０の後述するリム部２５に固定されていてもよい。テンプル２１ａ及び２１ｂは、眼鏡型映像表示装置１を装着する装着者、すなわち、ユーザ１０の側頭部に当接する当接部を構成する。丁番２７ａ及び２７ｂは、ヨロイ２６ａ及び２６ｂとテンプル２１ａ及び２１ｂとの間に設けられ、ヨロイ２６ａ及び２６ｂとテンプル２１ａ及び２１ｂを連結する連結部を構成する。【００１８】
また、ヨロイ２６ｂには、図５に示す表示ユニット２９の仰角を変更することができる回動機構２８が設けられている。これにより、表示ユニット２９の仰角を変更することができ、表示ユニット２９に表示される映像の見易さを向上させることができる。【００１９】
フロント２０は、左右のメガネレンズ２３ａ及び２３ｂと、メガネレンズ２３ａ及び２３ｂの周囲に設けられた左右のフレーム部２４ａ及び２４ｂと、メガネレンズ２３ａ及び２３ｂとフレーム部２４ａ及び２４ｂとを接続するリム部２５と有して構成される。リム部２５の左右のリム部の略中央にはブリッジ２５ａが形成されている。ブリッジ２５ａは、フロント２０をユーザ１０の鼻に固定するための鼻あて部２５ｂを含む。なお、以下の説明では、メガネレンズ２３ａ及び２３ｂを単にレンズ２３ａ及び２３ｂと略す。【００２０】
鼻あて部２５ｂは、例えば塑性変形することができる金属材料で形成されており、ユーザ１０の鼻の高さや形状に合わせて、眼鏡型映像表示装置１の高さを変更することができる。これにより、後述する表示ユニット２９の位置を変更することができ、表示ユニット２９に表示される映像の見易さを向上させることができる。【００２１】
本実施形態では、リム部２５、フレーム部２４ａ及び２４ｂは、レンズ２３ａ及び２３ｂを固定するための固定部材を構成する。特に、リム部２５は、レンズ２３ａ及び２３ｂを固定するための第１固定部材を構成し、フレーム部２４ａ及び２４ｂは、リム部２５を介してレンズ２３ａ及び２３ｂを固定するための第２固定部材を構成する。なお、第２固定部材であるフレーム部２４ａ及び２５ｂは、リム部２５に固定される構成であるが、これに限定されることなく、例えば、ヨロイ２６ａ及び２６ｂ又はテンプル２１ａ及び２１ｂに固定されてリム部２５又はレンズ２３ａ及び２３ｂの周囲に設けられる構成であってもよい。【００２２】
なお、本願実施形態で示しているフレーム部２４ａ及び２４ｂは、レンズ２３ａ及び２３ｂの上側を囲む枠部であるが、例えば、レンズ２３ａ及び２３ｂの下側を囲む枠部であってもよいし、レンズ２３ａ及び２３ｂの周囲全体を囲む枠部であってもよい。【００２３】
また、図５に示すように、フレーム部２４ｂの裏面側には、嵌合穴が設けられており、この嵌合穴に映像を表示する表示ユニット２９が嵌め込まれて構成されている。表示ユニット２９には、射出部３０が設けられており、表示ユニット２９で表示された映像を射出部３０からユーザ１０の瞳に映し出す。なお、表示ユニット２９の詳細な構成については後述する。【００２４】
このように、フレーム部２４ｂの裏面側に嵌合穴を設け表示ユニット２９を配置することで、眼鏡型映像表示装置１の前方から表示ユニット２９が見えないようにしている。すなわち、眼鏡型映像表示装置１を装着したユーザ１０の前方にいる人からは表示ユニット２９がフレーム部２４ｂに設けられた嵌合穴に隠れて見えないようにして、眼鏡型映像表示装置１の外観を一般的なメガネに見えるようにしている。【００２５】
すなわち、レンズ２３ｂの上側に設けられたフレーム部２４ｂが、レンズ２３ｂの前方の空間と表示ユニット２９との間に設けられ、前方の空間から表示ユニット２９への視界を遮る遮蔽部材を構成する。遮蔽部材を有することによって前方の空間から表示ユニット２９が視認できないように構成される。なお、遮蔽部材は、フレーム部２４ｂに限定されることなく、例えば、レンズ２３ｂの表面に設けられた膜（例えば、入射した光の一部を透過し、一部を透過させる反射膜等）であってもよい。膜に色を付すことによって、膜が遮蔽部材として機能する。例えば、表示ユニット２９をレンズ２３ｂ上に配置したとしても、膜が遮蔽部材として働き、眼鏡型映像表示装置１を装着したユーザ１０の前方にいる人からは、表示ユニット２９が膜に隠れて見えないようにして、眼鏡型映像表示装置１の外観を一般的なメガネに見えるようにすることができる。【００２６】
また、フレーム部２４ａの裏面側にも、嵌合穴が設けられており、この嵌合穴に表示ユニット２９と同一の形状のダミー部材３５が嵌め込まれている。このように、フレーム部２４ａ及び２４ｂの裏面側の構造を同一の形状とすることで、眼鏡型映像表示装置１の外観を一般的なメガネに見えるようにしている。【００２７】
すなわち、表示ユニット２９は、フレーム部２４ｂに形成された嵌合穴に配置され、表示ユニット２９が配置されていないフレーム部２４ａは、表示ユニット２９が配置されているフレーム部２４ｂに形成された嵌合穴と同様の形状をした第２の嵌合穴を有する。そして、第２の嵌合穴には、表示ユニット２９と同様の形状をしたダミー部材３５が配置されている。【００２８】
なお、本実施形態では、フレーム部２４ｂに表示ユニット２９を設け、フレーム部２４ａにダミー部材３５を設けているが、これに限定されることなく、フレーム部２４ｂにダミー部材３５を設け、フレーム部２４ａに表示ユニット２９を設けるようにしてもよい。また、フレーム部２４ａ及び２４ｂの両方に表示ユニット２９を設けるようにしてもよい。【００２９】
また、本実施形態では、フレーム部２４ｂに嵌合穴を設け、嵌合穴に表示ユニット２９を配置しているが、嵌合穴を設けることなくフレーム部２４ｂに表示ユニット２９を配置してもよい。この場合、フレーム部２４ｂに表示ユニット２９の周囲を囲うフード部材を設けてもよい。フード部材は、表示ユニット２９の上面や側面を囲うように設けてもよい。その結果、眼鏡型映像表示装置１を装着したユーザ１０の前方にいる人からは表示ユニット２９がフレーム部２４ｂに設けられたフード部材に隠れて見えないようにして、眼鏡型映像表示装置１の外観を一般的なメガネに見えるようにしている。なお、フード部材は、フレーム部２４ａに設けてもよいし、フレーム部２４ａ及び２４ｂの両方に設けてもよい。【００３０】
ここで、表示ユニット２９の詳細な構成について説明する。図６は、表示ユニット２９の詳細な構成について説明するための図である。なお、図６は、眼鏡型映像表示装置１を下方向から見た図である。なお、図６の眼鏡型映像表示装置１において、ケーブル２の記載は省略しているが、図１及び図５と同様に、図６の眼鏡型映像表示装置１もケーブル２を備えているものとする。【００３１】
図６に示すように、表示ユニット２９は、ＬＣＤ等の表示デバイス３１と、導光部３２と、ミラー３３とを内部に有して構成されている。【００３２】
表示デバイス３１には、図５に点線で示すようにケーブル２が接続されている。このケーブル２は、ヨロイ２６ｂ、丁番２７ｂ、テンプル２１ｂ、モダン２２ｂ内に挿通されており、モダン２２ｂからユーザ１０の背面を通って制御ユニット３に接続されている。ヨロイ２６ｂとテンプル２１ｂには、図示しない開口部が設けられている。この構成により表示デバイス３１は、制御ユニット３の制御部１１と有線接続されており、制御部１１から入力された映像を表示する。【００３３】
導光部３２は、例えばプリズム等により構成され、表示デバイス３１で表示した映像光をミラー３３に導光する。ミラー３３は、導光部３２で導光された光を射出部３０の方向に鏡面反射させて、射出部３０からユーザ１０の瞳３４に向けて映像光を射出する。ユーザ１０は前記映像を虚像として観察することができる。【００３４】
また、導光部３２、ミラー３３、射出部３０を一体のプリズムで構成することもできる。【００３５】
次に、眼鏡型映像表示装置１に映像を表示する際の制御について説明する。  
センター４の操作者が情報処理端末５を用いて所定の映像信号を無線送信すると、制御ユニット３の無線通信部１２が所定の映像信号を受信し、制御部１１に出力する。制御部１１は、所定の映像信号をケーブル２からモダン２２ｂ内に挿通されているケーブル２を介して表示ユニット２９の表示デバイス３１に出力する。【００３６】
表示デバイス３１は、制御ユニット３から入力された所定の映像信号に応じた映像を表示する。【００３７】
以上にように、眼鏡型映像表示装置１は、フレーム部２４ｂの背面側に表示ユニット２９を配置することで、眼鏡型映像表示装置１の前方から表示ユニット２９が見えないようにしている。この結果、眼鏡型映像表示装置１を装着しているユーザ１０の前方にいる人からは、表示ユニット２９がフレーム部２４ｂに隠れて見えないため、外観が普通のメガネに見えるようになっている。【００３８】
よって、本実施形態の眼鏡型映像表示装置によれば、外観を一般的なメガネに見せることができる。【００３９】
（変形例１）
図７は、変形例１に係る眼鏡型映像表示装置を後方から見た際の構成を示す斜視図であり、図８は、変形例１に係る眼鏡型映像表示装置を右側から見た際の構成を示す右側面図である。【００４０】
ケーブル２は、表示デバイス３１から出てヨロイ２６ｂに設けられた開口部を通って、外部に出る。その後、ケーブル２は、丁番２７ｂ周囲を通って、テンプル２１ｂに設けられた開口部を通ってテンプル２１ｂ内部に入る。すなわち、ケーブル２は、ヨロイ２６ｂ及びテンプル２１ｂに設けられ、丁番２７ｂ周囲において外部に露出した状態となっている。丁番２７ｂは可動部であるため、開閉動作などの動作をする際にケーブル２が動いてしまう。そのため、変形例１の眼鏡型映像表示装置１ａには、ケーブル２が外部から見えにくくするために、テンプル２１ｂ及びヨロイ２６ｂの間に設けられた丁番２７ｂの周囲にケーブル２をカバーするカバー部材３６が設けられている。【００４１】
カバー部材３６は、図７及び図８に示すように丁番２７ｂの下側と外側に設けられている。カバー部材３６を設けることで、丁番２７ｂを起点としてテンプル２１ｂが動作したとしても、ケーブル２が外部から視認しにくくすることができる。この結果、変形例１の眼鏡型映像表示装置１ａは、上述した実施形態と同様に、外観を一般的なメガネに見せることができる。【００４２】
なお、カバー部材３６の設けられる位置は、図７及び図８に限定されず、丁番２７ｂの上側及び／又は内側に設けられてもよい。また、カバー部材３６の形状は、図７及び図８に示す形状に限定されず、他の形状であってもよい。さらにまた、眼鏡型映像表示装置１ａの左右の形状を同一の形状とするために、丁番２７ａの下側と外側にダミーのカバー部材３７を設けるようにしてもよい。【００４３】
（変形例２）
次に、上述した実施形態の変形例２について説明する。【００４４】
図９は、変形例２に係る眼鏡型映像表示装置の一例の構成を示す斜視図であり、図１０は、変形例２に係る眼鏡型映像表示装置の他の例の構成を示す斜視図である。また、図１１は、変形例２に係る眼鏡型映像表示装置と制御ユニットとの接続関係を説明するための図である。なお、図９及び図１０において、図３と同様の構成については、同一の符号を付して説明を省略する。【００４５】
図９に示すように、眼鏡型映像表示装置１ｂは、フレーム部２４ａ及び２４ｂの間に、眼鏡型映像表示装置１ｂの前方を撮像する撮像素子を備えた撮像部４１が設けられている。また、フレーム部２４ａ及び２４ｂの前面の所定の位置には、眼鏡型映像表示装置１ｂに近辺で発生した音声を音声信号に変換するマイク４２ａ及び４２ｂが設けられている。【００４６】
また、テンプル２１ａ及び２１ｂの所定の位置には、音声信号を音声に変換して出力するスピーカ４４ａ及び４４ｂがケーブル２ｄ及び２ｅを介して接続されている。スピーカ４４ａ及び４４ｂはイヤホン型のスピーカであり、ユーザ１０は、スピーカ４４ａ及び４４ｂを耳の穴に挿入することで、所定の音声を聴くことができる。なお、撮像部４１、マイク４２ａ及び４２ｂ、スピーカ４４ａ及び４４ｂの配置される位置は、図９に示す位置に限定されることなく、他の位置に配置されていてもよい。【００４７】
また、スピーカ４４ａ及び４４ｂはイヤホン型に限定されるものではない。例えば、図１０の眼鏡型映像表示装置１ｃに示すように、テンプル２１ａ及び２１ｂの内側、すなわち、ユーザ１０の頭部側の所定の位置にスピーカ４５ａ及び４５ｂを設けるようにしてもよい。これにより、ユーザ１０は、図９のスピーカ４４ａ及び４４ｂを耳の穴に挿入することなく、音声を聴くことができる。【００４８】
図１１に示すように、撮像部４１は、フレーム部２４ｂ、ヨロイ２６ｂ、丁番２７ｂ、テンプル２１ｂ、モダン２２ｂ内に挿通されたケーブル２ａを介して制御部１１に接続されている。撮像部４１により撮像された撮像信号は、ケーブル２ａを介して制御ユニット３の制御部１１に入力される。制御部１１は、入力された撮像信号に所定の映像処理を施した映像信号を生成し、表示デバイス３１に出力する。【００４９】
なお、撮像部４１の撮像素子と表示デバイス３１とをフレーム部２４ｂ内に挿通されたケーブル２ａを介して接続し、撮像部４１で撮像された画像に所定の映像処理を施した後、表示デバイス３１に表示するようにしてもよい。【００５０】
マイク４２ａは、フレーム部２４ａ、フレーム部２４ｂ、ヨロイ２６ｂ、丁番２７ｂ、テンプル２１ｂ、モダン２２ｂ内に挿通されたケーブル２ｂを介して制御部１１に接続されている。また、マイク４２ｂは、フレーム部２４ｂ、ヨロイ２６ｂ、丁番２７ｂ、テンプル２１ｂ、モダン２２ｂ内に挿通されたケーブル２ｃを介して制御部１１に接続されている。マイク４２ａ及び４２ｂに入力された音声は、音声信号に変換された後、これらのケーブル２ｂ及びケーブル２ｃを介して制御部１１に入力される。【００５１】
制御部１１は、生成した映像信号及び入力された音声信号を無線通信部１２に出力する。無線通信部１２は、入力された映像信号及び音声信号を無線通信によりセンター４の情報処理端末５に送信する。センター４の操作者は、制御ユニット３から無線通信された映像信号及び音声信号を確認することで、眼鏡型映像表示装置１ｂ（１ｃ）を装着しているユーザ１０の状況を認識することができる。センター４の操作者は、眼鏡型映像表示装置１ｂ（１ｃ）を装着しているユーザ１０の状況に応じて、情報処理端末５を操作し、所定の指示を制御ユニット３に無線通信する。【００５２】
例えば、操作者は送信された画像に文字や記号等をタイプ入力、タッチペン入力、スタンプ入力等により入力する。情報処理端末５上で加工した画像を無線通信により制御ユニット３の無線通信部１２に送信する。無線通信部１２は、受信した画像を制御部１１に出力する。制御部１１は、映像信号を表示デバイス３１に出力することで、表示ユニット２９を介してセンター４の操作者からの所定の指示を眼鏡型映像表示装置１ｂ（１ｃ）を装着しているユーザ１０に表示する。【００５３】
また、操作者は制御ユニット３から送信された映像信号及び音声信号を確認して、音声による指示を出す。情報処理端末５は、例えばマイク等の図示しない音声入力部が設けられており、操作者は、音声入力部を用いて音声による指示を出す。情報処理端末５は、入力された音声を音声信号に変換した後、変換した音声信号を無線通信部１２に無線通信で送信する。【００５４】
スピーカ４４ａは、テンプル２１ａ、丁番２７ａ、ヨロイ２６ａ、フレーム部２４ａ、フレーム部２４ｂ、ヨロイ２６ｂ、丁番２７ｂ、テンプル２１ｂ、モダン２２ｂ内に挿通されたケーブル２ｄを介して制御部１１に接続されている。また、スピーカ４４ｂは、テンプル２１ｂ（１ｃ）、モダン２２ｂ内に挿通されたケーブル２ｅを介して制御部１１に接続されている。【００５５】
無線通信部１２は、入力された音声信号を制御部１１に出力する。制御部１１は、無線通信部１２から入力された音声信号を、ケーブル２ｄ及びケーブル２ｅを介してスピーカ４４ａ及び４４ｂに出力する。スピーカ４４ａ及び４４ｂは、入力された音声信号を音声に変換して出力することで、スピーカ４４ａ及び４４ｂを介してセンター４の操作者からの所定の指示を音声として出力する。【００５６】
これにより、センター４の操作者（すなわち、遠隔地の作業指示者）が眼鏡型映像表示装置１ｂ（１ｃ）を装着しているユーザ１０に対してリアルタイムで画像及び／または音声による作業指示を送ることができる。【００５７】
以上のように、変形例２の眼鏡型映像表示装置によれば、上述した実施形態と同様に、外観を一般的なメガネに見せることができるとともに、遠隔地のセンター４の作業指示者が眼鏡型映像表示装置１ｂ（１ｃ）を装着しているユーザ１０に対して作業指示をリアルタイムで送信することができる。【００５８】
（変形例３）
次に、上述した実施形態の変形例３について説明する。【００５９】
図１２は、変形例３に係る眼鏡型映像表示装置のフロントを後方から見た図である。【００６０】
上述した実施形態では、表示ユニット２９は第２固定部材を構成するフレーム部２４ｂの裏面に配置されているが、これに限定されることなく、例えばリム部２５の裏面に配置されていてもよい。【００６１】
眼鏡型映像表示装置１ｄは、図１２に示すように、フレーム部２４ｂの幅が狭く、リム部２５の幅が広く構成されている。このような構成の場合、フレーム部２４ｂに表示ユニット２９を配置すると、眼鏡型映像表示装置１を装着したユーザ１０の前方にいる人から表示ユニット２９が見えてしまい、外観を一般的なメガネに見せることができない虞がある。【００６２】
そこで、変形例３に係る眼鏡型映像表示装置１ｄは、図１２に示すように、表示ユニット２９を第１固定部材であるリム部２５の裏面に配置して構成されている。表示ユニット２９は、例えば、レンズ２３ｂの上下方向の中心線上に射出部３０が配置されるように、リム部２５の裏面に配置する。表示ユニット２９は、上述した実施形態と同様に、リム部２５の裏面に設けられた嵌合穴に嵌め込まれる。【００６３】
なお、図１２において、眼鏡型映像表示装置１ｄは、表示ユニット２９を第１固定部材であるリム部２５の裏面に配置する構成であるが、表示ユニット２９をリム部２５の裏面に配置する構成の場合、第２固定部材であるフレーム部２４ａ、２４ｂを有しない構成であってもよい。【００６４】
また、眼鏡型映像表示装置１ｄは、表示ユニット２９を第２固定部材であるフレーム２４ｂの裏面に配置した構成の場合、第１固定部材であるリム部２５を有しない構成であってもよい。【００６５】
また、図１２において、第１固定部材であるリム部２５、第２固定部材であるフレーム部２４ａ及び２４ｂは、レンズ２３ａ及び２３ｂの上側を囲む枠部であるが、例えば、レンズ２３ａ及び２３ｂの下側を囲む枠部であってもよいし、レンズ２３ａ及び２３ｂの周囲全体を囲む枠部であってもよい。その場合、表示ユニット２９は、リム部２５、フレーム部２４ａ及び２４ｂの形状に合わせて、レンズ２３ａ及び２３ｂの周囲の任意の位置に配置してもよい。例えば、表示ユニット２９は、レンズ２３ａ及び２３ｂに対して、右側、左側、下側等に配置してもよい。【００６６】
また、表示ユニット２９は、第１固定部材であるリム部２５、第２固定部材であるフレーム部２４ａ及び２４ｂの裏面に複数配置し、複数配置した表示ユニット２９にそれぞれ異なる映像を表示させてもよい。例えば、リム部２５の裏面のレンズ２３ｂに対して上側と下側に表示ユニット２９を配置した場合、上側に配置した表示ユニット２９にはユーザ１０の前面を撮影したカメラ（例えば撮像部４１）の映像を表示させ、下側に配置した表示ユニット２９にはユーザ１０の後面を撮影したカメラ（不図示）の映像を表示させさせてもよい。【００６７】
また、眼鏡型映像表示装置１ｄは、例えば、リム部２５の裏面のレンズ２３ｂに対して左側と右側に表示ユニット２９を配置し、左側と右側に配置した表示ユニット２９に視差を有する画像を表示させ、ユーザ１０に３Ｄ映像を提供するようにしてもよい。【００６８】
なお、リム部２５に表示ユニット２９の周囲を囲うフード部材を設けてもよい。また、リム部２５の裏面であって、レンズ２３ａの上方向には、表示ユニット２９と同一の形状のダミー部材３５が配置されている。【００６９】
このような構成により、眼鏡型映像表示装置１ｄを装着したユーザ１０の前方にいる人からは表示ユニット２９がリム部２５に隠れて見えないようにして、眼鏡型映像表示装置１ｄの外観を一般的なメガネに見えるようにしている。この結果、変形例３の眼鏡型映像表示装置１３は、上述した実施形態と同様に、外観を一般的なメガネに見せることができる。【００７０】
本発明は、上述した実施形態及び変形例に限定されるものではなく、本発明の要旨を変えない範囲において、種々の変更、改変等が可能である。【００７１】
本出願は、２０１６年３月３１日に日本国に出願された特願２０１６−７２１４０号を優先権主張の基礎として出願するものであり、上記の開示内容は、本願明細書、請求の範囲に引用されるものとする。
【図１】
2017170864.tif 000003
【図２】
2017170864.tif 000004
【図３】
2017170864.tif 000005
【図４】
2017170864.tif 000006
【図５】
2017170864.tif 000007
【図６】
2017170864.tif 000008
【図７】
2017170864.tif 000009
【図８】
2017170864.tif 000010
【図９】
2017170864.tif 000011
【図１０】
2017170864.tif 000012
【図１１】
2017170864.tif 000013
【図１２】
2017170864.tif 000014
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
映像を表示する表示ユニットと、
レンズの前方の空間と前記表示ユニットとの間に設けられ、前記前方の空間から前記表示ユニットへの視界を遮る遮蔽部材と、
を有することを特徴とする眼鏡型映像表示装置。
【請求項２】
前記表示ユニットは、前記レンズを固定するための第１固定部材、又は、前記レンズの周囲に設けられた第２固定部材に配置され、
前記遮蔽部材は、前記第１固定部材又は前記第２固定部材であることを特徴とする請求項１に記載の眼鏡型映像表示装置。
【請求項３】
前記第１固定部材又は前記第２固定部材は、嵌合穴を有し、
前記表示ユニットは、前記嵌合穴に配置されていることを特徴とする請求項２に記載の眼鏡型映像表示装置。
【請求項４】
前記第１固定部材又は前記第２固定部材に前記表示ユニットの周囲を囲うフード部材が設けられていることを特徴とする請求項２に記載の眼鏡型映像表示装置
【請求項５】
前記表示ユニットは、前記レンズに設けられ、
前記遮蔽部材は、前記レンズの表面に設けられた色を付した膜であることを特徴とする請求項１に記載の眼鏡型映像表示装置。
【請求項６】
前記表示ユニットは、
前記映像を表示する表示デバイスと、
前記表示デバイスで表示した映像光を導光する導光部と、
前記導光部で導光された映像光を射出部に向けて鏡面反射させるミラーと、を有して構成されていることを特徴とする請求項１に記載の眼鏡型映像表示装置。
【請求項７】
前記表示ユニットは、左右のレンズに設けられた前記第１固定部材又は前記第２固定部材のうち何れか一方の第１固定部材又は第２固定部材に配置され、
前記表示ユニットが配置されていない第１固定部材又は第２固定部材は、前記表示ユニットが配置されている第１固定部材又は第２固定部材と同様の形状が形成されていることを特徴とする請求項２に記載の眼鏡型映像表示装置。
【請求項８】
前記表示ユニットは、左右のレンズに設けられた前記第１固定部材又は前記第２固定部材のうち何れか一方の第１固定部材又は第２固定部材に配置され、
前記表示ユニットが配置されていない第１固定部材又は第２固定部材は、前記表示ユニットが配置されている第１固定部材又は第２固定部材に形成された嵌合穴と同様の形状をした第２の嵌合穴を有し、
前記第２の嵌合穴には前記表示ユニットと同様の形状をしたダミー部材が配置されていることを特徴とする請求項３に記載の眼鏡型映像表示装置。
【請求項９】
前記表示ユニットにケーブルを介して映像信号を送信する制御部を更に有し、
前記ケーブルは、固定部及び当接部に設けられ、
前記当接部と前記固定部の間に設けられた連結部の周囲に前記ケーブルをカバーするカバー部材が設けられていることを特徴とする請求項１に記載の眼鏡型映像表示装置。
【請求項１０】
前記カバー部材は、前記連結部の下側及び外側に設けられていることを特徴とする請求項９に記載の眼鏡型映像表示装置。
【請求項１１】
映像を表示する表示ユニットと、
前記表示ユニットにケーブルを介して映像信号を送信する制御部と、を有し、
前記ケーブルは、固定部及び当接部に設けられ、
前記当接部と前記固定部の間に設けられた連結部の周囲に前記ケーブルをカバーするカバー部材が設けられていることを特徴とする眼鏡型映像表示装置。
【請求項１２】
前記カバー部材は、前記連結部の下側及び外側に設けられていることを特徴とする請求項１１に記載の眼鏡型映像表示装置。
【請求項１３】
前記表示ユニットは、前記第２固定部材の裏側に配置されることを特徴とする請求項２に記載の眼鏡型映像表示装置。
【国際調査報告】
2017170864.tif 000015
2017170864.tif 000016
2017170864.tif 000017
2017170864.tif 000018